(57)【要約】【課題】正規品と識別情報の組み合わせを強固に保持し得る手法と、それを利用してなるトレースシステムを提供すること。【解決手段】昇華染色技術を利用してスライドファスナー１０のファスナーストリンガー２０に対して二次元コード（識別情報）４０を組み込むこととし、そのスライドファスナー１０を正規品（鞄など）に取り付けることにより、正規品の流通経路（移動経路）をトレースシステムにおいてトレース可能とする。昇華染色にて染色した二次元コード４０は、色落ち等しないため半永久的に利用可能であり、また、複製・再利用が困難である。【選択図】図２
2011048710.tif 000002
【特許請求の範囲】
【請求項１】
一対のファスナーストリンガーと、該ファスナーストリンガーを開閉するためのスライダーとを備えるスライドファスナーであって、前記ファスナーストリンガーに識別情報が組み込まれてなるスライドファスナー。
【請求項２】
請求項１記載のスライドファスナーであって、前記識別情報は、一次元コード又は二次元コードである、スライドファスナー。
【請求項３】
請求項１又は請求項２記載のスライドファスナーであって、前記識別情報は、昇華染色技術を利用して前記ファスナーストリンガーに組み込まれてなる、スライドファスナー。
【請求項４】
請求項３記載のスライドファスナーであって、前記ファスナーストリンガーは樹脂からなる、スライドファスナー。
【請求項５】
請求項１乃至請求項４のいずれかに記載のスライドファスナーを備える物品。
【請求項６】
請求項５記載の物品と、前記識別情報を利用して当該物品の流通又は移動した経路を追跡記録するトレースシステム。
【請求項７】
請求項５記載の物品の前記識別情報をトレースシステムにおいて利用して当該物品の流通又は移動した経路を追跡記録する方法。
【請求項８】
請求項３又は請求項４記載のスライドファスナーの製造時において前記ファスナーストリンガーに対して前記識別情報を昇華染色によって組み込む際に使用される加熱・加圧用カセットであって、
平板状の上板部及び下板部を備えており、
前記上板部及び前記下板部の対向面の少なくともいずれか一方に、前記ファスナーストリンガーのファスナーエレメントに対応した凹部が形成されてなる
加熱・加圧用カセット。
【発明の詳細な説明】
【技術分野】
【０００１】
本発明は、トレースシステムに関し、特に、模倣品の流通防止に寄与するトレースシステムに関する。
【背景技術】
【０００２】
トレースシステムとしては、例えば、特許文献１に開示されたものがある。特許文献１のトレースシステムは、識別情報として物品に付された二次元コードを携帯端末によって読み取ることにより物品の流通経路を追跡記録するものである。
【先行技術文献】
【特許文献】
【０００３】
【特許文献１】特開２００５−２５１０７９号公報
【発明の概要】
【発明が解決しようとする課題】
【０００４】
近年、模倣品による被害は甚大なものとなっているが、正規品の流通経路のトレースを的確に行うことができるようになれば、模倣品の流通を抑えることができ、模倣品被害を低減することができる。
【０００５】
既存のトレースシステムを用いて正規品の流通経路のトレースを的確に行うためには、正規品と識別情報の組み合わせを勝手に変更できないことが前提となる。しかしながら、従来の技術では、正規品と識別情報の組み合わせを強固に保持することは困難である。
【０００６】
そこで、本発明は、正規品と識別情報の組み合わせを強固に保持し得る手法と、それを利用してなるトレースシステムを提供することを目的とする。
【課題を解決するための手段】
【０００７】
本発明によれば、第１のスライドファスナーとして、一対のファスナーストリンガーと、該ファスナーストリンガーを開閉するためのスライダーとを備えるスライドファスナーであって、前記ファスナーストリンガーに識別情報が組み込まれてなるスライドファスナーが得られる。
【０００８】
また、本発明によれば、第２のスライドファスナーとして、第１のスライドファスナーであって、前記識別情報は、一次元コード又は二次元コードである、スライドファスナーが得られる。
【０００９】
また、本発明によれば、第３のスライドファスナーとして、第１又は第２のスライドファスナーであって、前記識別情報は、昇華染色技術を利用して前記ファスナーストリンガーに組み込まれてなる、スライドファスナーが得られる。
【００１０】
また、本発明によれば、第４のスライドファスナーとして、第３のスライドファスナーであって、前記ファスナーストリンガーは樹脂からなる、スライドファスナーが得られる。
【００１１】
また、本発明によれば、第１乃至第４のスライドファスナーのいずれかを備える物品が得られる。
【００１２】
また、本発明によれば、前記物品と、前記識別情報を利用して当該物品の流通又は移動した経路を追跡記録するトレースシステムが得られる。
【００１３】
また、本発明によれば、前記物品の前記識別情報をトレースシステムにおいて利用して当該物品の流通又は移動した経路を追跡記録する方法が得られる。
【００１４】
更に、本発明によれば、第３又は第４のスライドファスナーの製造時において前記ファスナーストリンガーに対して前記識別情報を昇華染色によって組み込む際に使用される加熱・加圧用カセットであって、
平板状の上板部及び下板部を備えており、
前記上板部及び前記下板部の対向面の少なくともいずれか一方に、前記ファスナーストリンガーのファスナーエレメントに対応した凹部が形成されてなる
加熱・加圧用カセットが得られる。
【発明の効果】
【００１５】
物品（正規品）に取り付けられたスライドファスナーを取り外そうとすると、正規品本体に傷が付いてしまうことから、取り外したスライドファスナーの複製などを行った後に、正規品を復元することは困難である。従って、正規品とスライドファスナーとの組み合わせを強固に保持することができ、トレースシステムによる正規品の流通経路のトレースを的確に行うことができる。
【００１６】
また、上記の加熱・加圧用カセットを用いてスライドファスナーのファスナーストリンガーに対して昇華染色技術を利用した識別情報の組み込みを行うと、より鮮明な識別情報を構成することができ、上記トレースシステムにおける識別情報の検知ミス等を避けることができる。
【図面の簡単な説明】
【００１７】
【図１】本発明の実施の形態によるスライドファスナーを示す図である。
【図２】図１のスライドファスナーの裏面を示す図である。
【図３】図２のスライドファスナーの製造時、特に、昇華染色技術を利用した識別情報の組み込み時に用いられる加熱・加圧用カセットを示す斜視図である。
【図４】図３のIV--IV線に沿った加熱・加圧用カセットの断面を示す断面図である。
【図５】図３の加熱・加圧用カセットを用いたスライドファスナーの昇華染色の様子を示す断面図である。
【図６】図１のスライドファスナーを備える物品（鞄）を示す斜視図である。
【図７】図６の物品の流通又は移動した経路を追跡記録するトレースシステムを示す図である。
【発明を実施するための形態】
【００１８】
図１及び図２に示されるように、本発明の実施の形態によるスライドファスナー１０は、一対のファスナーストリンガー２０と、ファスナーストリンガー２０を開閉するためのスライダー３０とを備えている。詳しくは、ファスナーストリンガー２０は、ファスナーテープ２２と、ファスナーテープ２２に取り付けられたファスナーエレメント（務歯列）２４と、スライダー３０の移動を規制する上止具２６及び下止具２８とを備えている。本実施の形態におけるファスナーテープ２２は、ポリエステル等の樹脂繊維を織成して形成されたものであり、また、ファスナーエレメント２４、上止具２６及び下止具２８も樹脂からなるものである。即ち、本実施の形態によるスライドファスナー１０は、いわゆる樹脂ファスナーである。しかしながら、本発明はこれに限定されるわけではなく、スライドファスナー１０は、例えば、ファスナーエレメント２４、上止具２６及び下止具２８が金属からなる金属ファスナーであってもよい。
【００１９】
本実施の形態によるスライドファスナー１０は、図２に示されるように、ファスナーストリンガー２２の裏面上に識別情報として二次元コード４０が組み込まれている。この二次元コード４０は、マトリックス式のものである。但し、本発明はこれに限定されるわけではなく、例えば、ファスナーストリンガー２２に対してスタック式の二次元コードを組む込むこととしてもよいし、バーコード（一次元コード）を組み込むこととしてもよい。また、数字や絵文字、特定のデザイン等からなる識別情報を組み込むこととしてもよい。
【００２０】
本実施の形態において、ファスナーストリンガー２２に対する二次元コード４０の組み込みには、昇華染色技術が利用されている。昇華染色技術によると、いわゆる色落ち等を防ぐことができるため、事実上、半永久的に識別情報の利用が可能となる。なお、昇華染色技術によって染色可能なのは、樹脂等であることから、二次元コード４０のように比較的大きな面積を必要とする識別情報の場合、スライドファスナー１０としては本実施の形態のような樹脂ファスナーが好ましい。
【００２１】
ファスナーストリンガーは、ファスナーメーカーにより製造された時点では、１００メーターほどの長さを有しており且つ円形のリールに巻かれているため、それに染色をするにあたってはリールからファスナーストリンガーを引き出しながら行うのが通常の考え方であり、そのため、昇華染色の機材として回転式の構造を有するものが開発されていた。しかしながら、二次元コードなどの識別情報の染色を考慮した場合、コードの図柄のズレ（ゴースト）などはない方が好ましい。更に、実使用時には、メンテナンスのし易さや故障率の低減などの要求もある。これらを考慮し、本実施の形態においては、図３及び図４に示されるような加熱・加圧用カセット１００を創作し、用いることとした。
【００２２】
図３乃至図５を参照すると、加熱・加圧用カセット１００は、未染色の複数のスライドファスナー１０′を同時に昇華染色する際に用いられるものであり、熱伝導率の高い材料からなる上板部１１０及び下板部１２０を備えている。より具体的には、本実施の形態による上板部１１０及び下板部１２０は、カーボングラファイトからなるものであり、夫々、略平板状の形状を有している。また、下板部１２０の上板部１１０との対向面１２０ａは平坦であるのに対して、上板部１１０の下板部１２０との対向面１１０ａには、複数列の凹部１１２が形成されている。各凹部１１２は、図４の紙面に直交する方向に延びており、複数の未染色のスライドファスナー１０′の夫々のファスナーエレメント２４′に対応している。本実施の形態によるスライドファスナー１０は、上述したように樹脂ファスナーであるため、下板部１２０の対向面１２０ａは平坦面としてあるが、染色時におけるファスナーストリンガー２２の裏面の意図しない移動を防止するためファスナーストリンガー２２に対応させて僅かに凹んだ浅凹部を形成することとしてもよい。更に、スライドファスナー１０を金属ファスナーとする場合には、ファスナーストリンガー２２の裏面側にもファスナーエレメントが突出することとなるため、下板部１２０にも凹部を形成することとする。その場合、下板部１２０の凹部は、上板部１１０の凹部１１２と対向するように形成される。
【００２３】
かかる加熱・加圧用カセット１００を用いての染色は、図５に示されるようにして行われる。まず、昇華染色用の染料を印刷してなる転写紙１３２，１３４を用意し、上側の転写紙１３２と下側の転写紙１３４の夫々の印刷された面を対向させ、その間に未染色のスライドファスナー１０′を挟む。次いで、それらを上板部１１０と下板部１２０の間に配置する。この際、未染色のスライドファスナー１０′のファスナーエレメント２４′を上板部１１０の凹部１１２に対応させるようにする。その状態において、上板部１１０及び下板部１２０に熱を加えつつ、上板部１１０と下板部１２０とに圧を加えることで、転写紙１３２及び１３４に印刷された染料を昇華させファスナーストリンガー２２に転写する。このようにして、ファスナーストリンガー２２に模様をつけると共にファスナーストリンガー２２に識別情報（二次元コード４０）を組み込む。
【００２４】
本実施の形態においては、図６に示されるように、上述したスライドファスナー１０を物品（鞄）２００に組み込むこととする。なお、図示された鞄２００においては、二次元コード４０の存在を明確にするため、スライドファスナー１０を閉めた状態において、鞄２００の外部にて二次元コード４０の存在を認識できるように描いてあるが、鞄２００の内部に二次元コード４０が位置するように設けられていてもよい。
【００２５】
かかる鞄２００の流通経路は、そこに組み込まれたスライドファスナー１０の二次元コード４０を利用することにより、図７に示されるようなトレースシステムにて追跡記録することができる。図７には、一般的なトレースシステムが例示されている。図示されたトレースシステムは、鞄２００のスライドファスナー１０に組み込まれている二次元コード４０を読み取るコードリーダ付の携帯端末４００と、携帯端末４００に通信エリアを提供する基地局５００と、ネットワーク７００を介して基地局５００に接続され、基地局５００及びネットワーク７００を介して携帯端末４００から受けた二次元コード４０の情報を基に鞄２００の流通経路（移動経路）を追跡し、その履歴を管理・記録するサーバ６００とを備えている。ここで、ネットワーク７００は、公衆回線網やインターネットなどのパブリックなネットワークや特定企業内のドメスティックなネットワーク、又はそれらの組み合わせからなるものであり、特に限定はない。このようなトレースシステムを用いれば、鞄２００にスライドファスナー１０を取り付けた時点（即ち、鞄２００の生産時点）から鞄２００の流通経路をトレースしていくことが可能となるため、正規品の管理を確実に行うことができ、模倣品を流通させるといった不正行為自体を抑制することができる。
【００２６】
詳しくは、スライドファスナー１０の鞄２００への取り付けはミシン等を用いて縫いつけることにより行うため、鞄２００からスライドファスナー１０を取り外そうとすると、鞄２００の皮・生地を傷めることとなってしまい、一旦取り外したスライドファスナー１０を鞄２００に再度取り付けようとしても傷が目立つことになってしまう。即ち、スライドファスナー１０を取り外して不正使用しようとすると、正規品を一つダメにしてしまうことになる。従って、かかる不正使用の形態は現実的ではない。
【００２７】
また、二次元コード４０の内容をスライドファスナー１０毎に異ならせることとすると、取り外したスライドファスナー１０を基にスライドファスナー１０のコピー品を多数作成し、そのスライドファスナー１０を用いて模倣品を作製したとしても、トレースシステム上で模倣品であることがすぐに判別されてしまうことになる。従って、模倣品の排除を効果的に行うことができる。この場合、スライドファスナー１０を鞄２００に付属させる保証書等と組み合わせることにより、当該鞄２００が正規品であることの信頼性を更に高めることとすると、模倣品の排除も更に効果的に行うことができる。
【符号の説明】
【００２８】
１０，１０′        スライドファスナー
２０        ファスナーストリンガー
２２        ファスナーテープ
２４，２４′        ファスナーエレメント（務歯列）
２６        上止具
２８        下止具
３０        スライダー
４０        二次元コード
５０        物品
１００        加熱・加圧用カセット
１１０        上板部
１１０ａ      対向面
１１２        凹部
１２０        下板部
１２０ａ      対向面
１３２        転写紙
１３４        転写紙
２００        物品（鞄）
３００        トレースシステム
４００        携帯端末
５００        基地局
６００        管理サーバ
７００        ネットワーク
【図１】
2011048710.tif 000003
【図２】
2011048710.tif 000004
【図３】
2011048710.tif 000005
【図４】
2011048710.tif 000006
【図５】
2011048710.tif 000007
【図６】
2011048710.tif 000008
【図７】
2011048710.tif 000009